(57)【要約】【課題】  ＯＳＳにおいてＮＥ監視制御のために管理すべき分配情報を自律的に生成することを可能とする分配情報生成システム、及び、分配情報生成方法を提供する。【解決手段】  分配情報生成システム１００の運用データ管理ＷＥ３０ａは、ＮＥ構成情報４００とＯＳＳ構成情報５００とを含む運用データを管理する。システム構成管理ＷＥ３０ｂは、運用データと予め設定された分配指定とに基づき、ＷＥ３０に対してＮＥをどのように分配するかを示すＮＥ−ＯＳＳ分配情報６００を生成する。【選択図】  図１
2007041873.tif 000002
【特許請求の範囲】
【請求項１】
通信ネットワークを構成するネットワークエレメントに関する情報であるＮＥ構成情報と、該ネットワークエレメントを監視制御するためのオペレーションサポートシステムを構成する業務エレメントに関する情報であるＯＳＳ構成情報と、を含む運用データを管理する運用データ管理手段と、
前記運用データ管理手段により管理されている運用データと、予め設定された分配指定とに基づき、前記業務エレメントに対して前記ネットワークエレメントをどのように分配するかを示す分配情報を生成するシステム構成管理手段と
を備えることを特徴とする分配情報生成システム。
【請求項２】
前記分配指定には、
分配すべきネットワークエレメントの種類についての指定が含まれていることを特徴とする
請求項１に記載の分配情報生成システム。
【請求項３】
前記分配指定には、
ネットワークエレメントが属する地域の優先度に基づいて該ネットワークエレメントを分配する指定が含まれていることを特徴とする
請求項１又は２に記載の分配情報生成システム。
【請求項４】
前記分配指定には、
ネットワークエレメント数が多い地域ほど前記優先度が高いことを指定する情報が含まれていることを特徴とする
請求項３に記載の分配情報生成システム。
【請求項５】
前記分配指定には、
ネットワークエレメントを分配先に対して均等に分配する指定が含まれていることを特徴とする
請求項１から４の何れか１項に記載の分配情報生成システム。
【請求項６】
前記分配指定には、
アクティブ状態にある業務エレメント各々と、冗長構成を含む業務エレメントの機能単位と、の何れか一方に対してネットワークエレメントを分配する指定が含まれていることを特徴とする
請求項１から５の何れか１項に記載の分配情報生成システム。
【請求項７】
通信ネットワークを構成するネットワークエレメントに関する情報であるＮＥ構成情報と、該ネットワークエレメントを監視制御するオペレーションサポートシステムを構成する業務エレメントに関する情報であるＯＳＳ構成情報と、を含む運用データを取得する運用データ取得ステップと、
前記運用データ管理ステップにおいて取得された運用データと、予め設定された分配指定とに基づき、前記業務エレメントに対して前記ネットワークエレメントをどのように分配するかを示す分配情報を生成するシステム構成管理ステップと
を備えることを特徴とする分配情報生成方法。
【発明の詳細な説明】
【技術分野】
【０００１】
本発明は、通信ネットワークを構成するネットワークエレメントを監視制御するためのオペレーションサポートシステムにおいて、システム構成の変更に自律的に対応する分配情報生成システム、及び、分配情報生成方法に関するものである。
【背景技術】
【０００２】
従来、通信ネットワークにおける運用効率を図る技術が検討されている。例えば、特許文献１には、ネットワーク全体でやり取りされる運用データを一元管理して自動制御する技術が記載されている。
特に、移動体通信ネットワークは、多種多様で非常に多くのネットワークエレメント（ＮＥ：Network E1ement）、及び、これらのＮＥからの警報を監視し、コマンドによりＮＥを制御するオペレーションサポートシステム（ＯＳＳ：operations Support System）から構成されている。
【０００３】
従来のＯＳＳは、大規模ＵＮＩＸ（登録商標）サーバとＲＤＢＭＳ（Relational DataBase Management System）やＣＯＲＢＡ（Common Object Request Broker Architecture）などの市販ミドルウェアを多用して構築されている。ＯＳＳでは、監視制御対象となる多種多様なＮＥをその収容条件に基づいて収容しているため、収容条件の上限を超えた場合は、収容設計の結果に基づいてＯＳＳを構成するサーバ等のハードウェア増設が必要となる。勿論、条件を下回った場合は、ハードウェアの減設を行う場合もある。また、ＯＳＳアプリケーションの機能追加や性能見直しに伴い、ハードウェアの増減設が必要となる場合もある。
【０００４】
例えば、ＯＳＳのハードウェアの増設を行った際に新たなシステム構成で運用を開始するためには、まず、新たなシステム構成で監視制御すべきＮＥに関する情報（以下、「ＮＥ構成情報」という）を作成してシステム内に設定する必要がある。また、新たなシステム構成（複数台のサーバから構成されるシステム）になることから、そのＯＳＳの構成に関する情報（以下、「ＯＳＳ構成情報」という）を作成してシステム内に設定する必要がある。
【０００５】
更には、新たなシステム構成において、処理負荷を分散させるために、各機能を備えたサーバをどのＮＥに割り当てるかといった情報（以下、「ＮＥ−ＯＳＳ分配情報」という）を、ＮＥ構成情報及びＯＳＳ構成情報に基づいて作成し、システム内に設定する必要がある。
従来においては、ＮＥ或いはＯＳＳの構成変更が発生した場合に、オペレータは、ＮＥ構成情報、ＯＳＳ構成情報、及び、ＮＥ−ＯＳＳ分配情報をどのように変更するかを検討し、変更後の情報を運用開始前（開発環境）に作成する。そして、十分な動作検証を実施してから運用環境へ移行していた。
【特許文献１】特開平０９−２９８５４４号公報（要約）
【発明の開示】
【発明が解決しようとする課題】
【０００６】
このため、新たなシステム構成に対応した運用を開始するまでに手間と時間がかかり、また、ＮＥ−ＯＳＳ分配情報を更新する際にはミドルウェア及びアプリケーションの再起動が必要となることから、ＮＥ監視制御のサービス中断を伴うという問題があった。
特に、ＮＥ構成情報及びＯＳＳ構成情報は変動要素が大きく、また、システム構成変更後のネットワーク環境に迅速に対応してサービスを行うために、ＮＥ監視制御に必要となるＮＥ−ＯＳＳ分配情報をタイムリーに生成することが求められている。
本発明は、上述した課題に鑑みてなされたものであり、ＯＳＳにおいてＮＥ監視制御のために管理すべき分配情報を自律的に生成することを可能とする分配情報生成システム、及び、分配情報生成方法を提供することを目的とする。
【課題を解決するための手段】
【０００７】
上記課題を解決するために、請求項１に記載の発明は、通信ネットワークを構成するネットワークエレメントに関する情報であるＮＥ構成情報と、該ネットワークエレメントを監視制御するためのオペレーションサポートシステムを構成する業務エレメントに関する情報であるＯＳＳ構成情報と、を含む運用データを管理する運用データ管理手段と、前記運用データ管理手段により管理されている運用データと、予め設定された分配指定とに基づき、前記業務エレメントに対して前記ネットワークエレメントをどのように分配するかを示す分配情報を生成するシステム構成管理手段とを備えることを特徴とする分配情報生成システムを提供する。
この発明によれば、分配情報生成システムは、管理している運用データと分配指定とに基づき分配情報を生成することができるため、オペレーションサポートシステムにおいてネットワークエレメントを監視制御するために管理すべき分配情報を自律的に生成することが可能となる。
【０００８】
請求項２に記載の発明は、請求項１に記載の分配情報生成システムにおいて、前記分配指定には、分配すべきネットワークエレメントの種類についての指定が含まれていることを特徴とする。
この発明によれば、分配すべきネットワークエレメントの種類を指定可能とすることで、業務エレメントが監視制御可能な種類のネットワークエレメントのみを当該業務エレメントに対して分配することが可能となる。
【０００９】
請求項３に記載の発明は、請求項１又は２に記載の分配情報生成システムにおいて、前記分配指定には、ネットワークエレメントが属する地域の優先度に基づいて該ネットワークエレメントを分配する指定が含まれていることを特徴とする。
この発明によれば、特定の地域に属するネットワークエレメントを特定の業務エレメントに分配することが可能となるため、オペレータは、特定の業務エレメントにおける監視情報から、特定の地域で発生した警報状態を迅速に把握し措置を行うことが可能となる。また、特定の業務エレメントが故障した場合に、その障害による影響範囲を特定することが容易となる。
【００１０】
請求項４に記載の発明は、請求項３に記載の分配情報生成システムにおいて、前記分配指定には、ネットワークエレメント数が多い地域ほど前記優先度が高いことを指定する情報が含まれていることを特徴とする。
この発明によれば、ネットワークエレメント数が多い地域のネットワークエレメントを特定の業務エレメントに分配することにより、同一地域のネットワークエレメントを同一の業務エレメントに分配する確率が高くなり、ネットワークエレメントを監視制御し易くなる。
【００１１】
請求項５に記載の発明は、請求項１から４の何れか１項に記載の分配情報生成システムにおいて、前記分配指定には、ネットワークエレメントを分配先に対して均等に分配する指定が含まれていることを特徴とする。
この発明によれば、効率的にネットワークにおける負荷分散を行うことが可能となる。
【００１２】
請求項６に記載の発明は、請求項１から５の何れか１項に記載の分配情報生成システムにおいて、前記分配指定には、アクティブ状態にある業務エレメント各々と、冗長構成を含む業務エレメントの機能単位と、の何れか一方に対してネットワークエレメントを分配する指定が含まれていることを特徴とする。
この発明によれば、冗長構成方式に依存せず、どのネットワークエレメントをどの機能が実装された業務エレメントに分配するかを柔軟に指定することができる。
【００１３】
請求項７に記載の発明は、通信ネットワークを構成するネットワークエレメントに関する情報であるＮＥ構成情報と、該ネットワークエレメントを監視制御するオペレーションサポートシステムを構成する業務エレメントに関する情報であるＯＳＳ構成情報と、を含む運用データを取得する運用データ取得ステップと、前記運用データ管理ステップにおいて取得された運用データと、予め設定された分配指定とに基づき、前記業務エレメントに対して前記ネットワークエレメントをどのように分配するかを示す分配情報を生成するシステム構成管理ステップとを備えることを特徴とする分配情報生成方法を提供する。
この発明によれば、取得した運用データと分配指定とに基づきネットワークエレメントを監視制御するために必要な分配情報を自律的に生成することが可能となる。
【発明の効果】
【００１４】
以上説明したように、本発明によれば、管理している運用データと分配指定とに基づき分配情報を生成することができるため、オペレーションサポートシステムにおいてネットワークエレメントを監視制御するために管理すべき分配情報を自律的に生成することが可能となる。
【発明を実施するための最良の形態】
【００１５】
次に、図面を参照しながら本発明の実施の形態について説明する。
図１は、本実施の形態に係るＯＳＳ（オペレーションサポートシステム）１０の構成を示す図である。このＯＳＳ１０は、移動通信ネットワークを構成する基地局、交換機等のＮＥ（ネットワークエレメント）（不図示）を監視制御するシステムである。ＯＳＳ１０は、Ｄ３Ａ（Distributed Data Driven Architecture：分散データ駆動型アーキテクチャ）に基づいて構築されている。
【００１６】
ＯＳＳ１０は、複数台の図示せぬＩＡサーバを含んで構成されており、各ＩＡサーバによって自律分散制御が行われる。各ＩＡサーバは、ＣＰＵ、記憶装置、通信インタフェース等のハードウェア資源、及び、記憶装置に記憶されたプログラム、データ等のソフトウェア資源を備えている。これらのハードウェア資源及びソフトウェア資源によって、図１に示す機能構成が実現される。各機能の概要について以下に説明する。
【００１７】
ＮＡ（Network Adaptor：ネットワークアダプタ）２０は、移動体通信網、固定通信網、インターネット網等の各アクセスネットワークのインタフェースの違いを吸収する。具体的には、ＮＡ２０は、各アクセスネットワークのインタフェースをＩＰサービスマネージャ内で共通のインタフェースに変換する。ＮＡ２０はアクセスネットワーク毎に用意され、負荷分散と機能分散とを実現する。
【００１８】
ＷＥ（Work Element：業務エレメント）３０は、ＯＳＳ１０の業務仕様を実現するための機能単位である。１つのＷＥ３０は、基本的に１台のＩＡサーバに対応する。各ＷＥ３０は、自ＷＥ３０が監視制御すべきＮＥに関する情報として、後述するＮＥ−ＯＳＳ分配情報を保持している。
ＣＤＭ（Configuration Data Manager：構成データ管理）４０は、業務仕様を表現するデータであるＷＣＤ（Work Configuration Data：業務構成データ）４１を管理する。ＷＣＤ４１には、ＷＥ３０における処理順序、ＷＥ３０の処理条件、入出力等が全てデータで記述されている。
【００１９】
次に、図２を参照して、このＤ３Ａによる具体的な処理手順について説明する。
まず、ＮＡ（識別名「ＮＡｉ」）２０は、外部からの業務要求を受信すると（ステップＳ１）、対応するＷＣＤ４１をＣＤＭ４０から一括で読み出し、業務エレメント名解決処理を行って、業務エレメント名「ＷＥ１１」を得る（ステップＳ２）。
「ＮＡｉ」で識別されるＮＡ２０は、「ＷＥ１１」で識別されるＷＥ３０に対してＷＣＤ４１とアプリケーションデータとを引き渡す（ステップＳ３）。
「ＷＥ１１」で識別されるＷＥ３０は、自分自身の処理を実行した後、その処理結果とＷＣＤ４１とに基づいて業務エレメント名解決処理を行い、次に処理を実行すべきＷＥ３０の業務エレメント名「ＷＥ２２」を得る。
【００２０】
以上のような処理を「ＷＥ２２」、「ＷＥ２３」で識別されるＷＥ３０が逐次行い（ステップＳ４、Ｓ５、Ｓ６）、最後に、「ＮＡｏ」で識別されるＮＡ１０から処理結果が出力される（ステップＳ７）。
このように、Ｄ３Ａによる処理方式は、個々の単機能を実行して、１つの業務を実現するという方式になる。このＷＣＤ４１を個々のＷＥ３０間で持ち回ることで、分散環境における自律制御を実現している（つまり、集中制御を必要としない）点がＤ３Ａの特徴である。
【００２１】
また、Ｄ３Ａにおいては以下の２種類の冗長方式が採られている。
（１）ｎ‐ＡＣＴ構成方式
ＡＣＴ（アクティブ）状態にある、同一機能を備えたｎ（ｎは自然数）個のＷＥ３０から構成される冗長方式である。本方式により、ＷＥ３０の負荷分散を実現すると共に、故障したＷＥ３０を系から切り離すことが可能となる。
（２）ｎ‐ＡＣＴ／ｍ−ＳＢＹ構成方式
ＡＣＴ状態にある、異なる機能を備えたｎ個のＷＥ３０と、ＳＢＹ（スタンバイ）状態にあるｍ（ｍは自然数）個のＷＥ３０とから構成される冗長方式である。本方式を適用したＷＥ３０については、ＮＥに括り付けられたデータをＷＥ３０に分散配備することにより、負荷分散を実現する。
【００２２】
以上のようなＤ３Ａに基づいて構築されたＯＳＳ１０において、何れかのＷＥ３０に本発明に係る分配情報生成システムの機能を配備した場合の実施の形態について説明する。
図３には、本発明の実施の形態に係る分配情報生成システム１００の構成を示す。同図に示すように、分配情報生成システム１００は、運用データ管理ＷＥ３０ａとシステム構成管理ＷＥ３０ｂとを備えている。なお、これらの機能は、ＩＡサーバに搭載されているＣＰＵ、記憶装置、通信インタフェース等のハードウェアと、プログラム、データ等のソフトウェアとによって実現される。
【００２３】
運用データ管理ＷＥ３０ａは、ＮＥ構成情報４００及びＯＳＳ構成情報５００といった、ＮＥの増減設やＯＳＳ１０を構成するＷＥ３０の増減設等の外部要件によって変更される運用データの管理を行う。これらの運用データは、オペレータにより入力されたり、他のＷＥ３０から収集される。
なお、ＮＥ構成情報４００は、移動通信ネットワークを構成しているＮＥの種類、台数、ＮＥが属する（設置されている）地域等、ＮＥに関する各種情報である。ＯＳＳ構成情報５００は、ＯＳＳ１０を構成しているＷＥ３０の数やＷＥ３０の冗長方式といった、ＯＳＳ１０の構成情報である。
【００２４】
システム構成管理ＷＥ３０ｂは、運用データ管理ＷＥ３０ａで管理されている運用データと、予め設定された分配指定とに基づいて、ＮＥ−ＯＳＳ分配情報６００を自律的に生成する。ここで、ＮＥ−ＯＳＳ分配情報６００とは、ＷＥ３０が監視制御すべきＮＥをどのようにＷＥ３０に分配するかを示す情報である。
図４には、ＮＥ−ＯＳＳ分配情報６００のデータ構成の一例を示す。同図に示すように、ＮＥ−ＯＳＳ分配情報６００は、ＮＥの分配先となるＷＥ３０を示す「配信先エレメント」と、ＷＥ３０に分配すべきＮＥの名前を示す「分配ノード」とで構成されている。
【００２５】
次に、システム構成管理ＷＥ３０ｂが行うＮＥ−ＯＳＳ分配情報６００の自動生成方式について説明する。
まず、ＮＥの増減には、ＮＥの種類の追加や導入数の変更による増減がある。また、ＮＥは様々な地域に設置される。これらの変動要素を以下に定義する。
・ＮＥの種類を“カテゴリ”とする。
・ＮＥの属する地域を“Ａｒｅａ”とする。
【００２６】
次に、ＯＳＳ１０のシステム構成を以下に定義する。
・ＯＳＳ１０を構成する各ＷＥ３０の冗長構成は、ｎ‐ＡＣＴ／ｍ−ＳＢＹ構成方式またはｎ−ＡＣＴ構成方式とする。
・１ＷＥ（１機能）を構成する単位（冗長構成を含む）を“１グループ”とする。つまり、ｎ‐ＡＣＴ／ｍ−ＳＢＹ構成方式の場合は、同一機能を備えた、ＡＣＴ状態にあるＷＥ３０とＳＢＹ状態にあるＷＥ３０とが１グループを構成する。ｎ−ＡＣＴ構成方式の場合は、同一機能を備えたｎ個のＡＣＴ状態にあるＷＥ３０が１グループを構成する。
【００２７】
次に、システム構成管理ＷＥ３０ｂが、ＮＥ−ＯＳＳ分配情報６００を生成する際の分配指定の方式について説明する。以下の分配方式は、初期分配時について主に説明しているが、増設分分配時にも適用可能である。なお、以下に示す分配指定は、プログラムに予め記述されているか、分配指定情報として記憶装置に予め記憶されている。
【００２８】
［１］ＮＥ分配指定
（１）カテゴリ指定／共通方式
ａ．カテゴリ指定分配方式
指定されたカテゴリに該当するＮＥのみを、ＷＥ３０に（ＡＣＴ状態にあるＷＥ３０（以下単に「ＡＣＴ」という）毎に、または、グループ毎に）分配する方式。
ここで、カテゴリが異なると、各々のＮＥの特性によりＮＥ〜ＯＳＳ１０間インタフェースが異なる。つまり、ＮＥ種毎に装置構成や機能に相違があるため、コマンド仕様やメッセージ仕様、収集する監視データ項目や収集トラヒック項目などが異なる。この違いにより、ＯＳＳ１０側では共通化できるＷＥ３０相当の機能と、個別に実現しなければならないＷＥ３０相当の機能とが存在することになる。このうち、特定のＮＥ種に応じた個別機能を有するＷＥ３０に当該特定種のＮＥのみを収容したい場合にこのカテゴリ指定分配方式を適用する。このカテゴリ指定分配方式を可能とすることにより、全てのＮＥ種に対応可能な共通機能（未知のＮＥについても汎用的な共通機能）を実現する必要がなくなる。
ｂ．カテゴリ共通分配方式
ＮＥのカテゴリによらず全ＮＥをＷＥ３０に（ＡＣＴまたはグループごとに）分配する方式。
全ＮＥ種に対応可能な共通機能を有するＷＥ３０に対してＮＥを分配する場合に使用する。
【００２９】
（２）Ａｒｅａ優先／ＮＥ均等方式
ａ．Ａｒｅａ優先分配方式
Ａｒｅａ毎に優先度を定義し、当該優先度に基づいて各Ａｒｅａに属するＮＥをＷＥ３０に（ＡＣＴまたはグループ毎に）分配する方式。具体的には、分配先のＷＥ３０（ＡＣＴまたはグループ）毎に対応するＡｒｅａを優先度順に指定し、指定したＡｒｅａに属するＮＥを対応させたＷＥ３０に分配する。
【００３０】
このようなＡｒｅａ優先分配方式とすることによって、例えば、特定のＡｒｅａに属するＮＥを特定のＷＥ３０にのみ分配することが可能となるため、オペレータは、特定のＡｒｅａで発生した警報状態を特定のＷＥ３０における監視情報から迅速に把握し措置を行うことが可能となる。また、特定のＷＥ３０が故障した場合に、その障害により影響するＡｒｅａ及びＮＥを特定することが容易となる。なお、本実施の形態においては、Ａｒｅａの優先度は、そのＡｒｅａに属するＮＥ数が多いほど高いものとする。
【００３１】
図５には、Ａｒｅａ優先分配方式によって、各Ａｒｅａに存在するＮＥをＷＥ３０に対して分配する場合の分配例を示す。同図の例では、Ａｒｅａの単位として、中央、関西、九州、東海、中国、四国、東北、北陸、北海道が存在し、この順に属するＮＥ数が多いものとする。
例えば、ＯＳＳ１０を構成するＷＥ３０が１つ（業務エレメント名「ＷＥ１」）である場合には、図６に示すように、「ＷＥ１」で識別されるＷＥ３０に対して全てのＡｒｅａに属するＮＥが分配される。
【００３２】
また、ＯＳＳ１０を構成するＷＥ３０が２つ（業務エレメント名「ＷＥ１」、「ＷＥ２」）である場合には、「ＷＥ１」で識別されるＷＥ３０に対してＡｒｅａ「中央」に属するＮＥが分配され、「ＷＥ２」で識別されるＷＥ３０に対してＡｒｅａ「中央」以外に属するＮＥが分配される。
同様に、ＯＳＳ１０を構成するＷＥ３０が３つ（業務エレメント名「ＷＥ１」、「ＷＥ２」、「ＷＥ３」）である場合には、「ＷＥ１」で識別されるＷＥ３０に対してＡｒｅａ「中央」に存在するＮＥが分配され、「ＷＥ２」で識別されるＷＥ３０に対してＡｒｅａ「関西」に存在するＮＥが分配され、「ＷＥ３」で識別されるＷＥ３０に対してＡｒｅａ「中央」以外かつ「関西」以外に存在するＮＥが分配される。
【００３３】
このようにＮＥ数が多いＡｒｅａ順に高い優先度を指定して優先度の高い順にＷＥ３０にＮＥの分配を行っていくことにより、同一のＷＥ３０に同一Ａｒｅａに属するＮＥを収容する確率を高くすることができる。これにより、ＮＥの故障発生による障害範囲の特定などの時間を短縮し、措置が複雑になるのを回避するというメリットがある。
【００３４】
ｂ．ＮＥ均等分配方式
ＷＥ３０に（ＡＣＴまたはグループ毎に）ＮＥを均等に分配する方式。増加分のＮＥを分配する際には、ＮＥ配分数の少ないＡＣＴまたはグループから優先的にＮＥを分配することにより、各ＡＣＴまたはグループに均等にＮＥを分配する。
初期分配時には、ＡＣＴ名（ＷＥ１−Ｇｐ０−ＡＣＴ−０など）またはグループ名（ＷＥ１−Ｇｐ０など）を昇順ソートした順に均等にＮＥの分配を行う。
【００３５】
以上のようなＮＥの多様な分配方式を指定可能とすることにより、多種多様なＮＥを一元的に管理し、保守（監視制御）のケースに応じて、様々な観点（カテゴリ単位、地域単位、ＮＥ単位など）で、監視制御することが可能となる。
また、過去のＮＥ制御の履歴情報やサービスに関するトラヒック情報をカテゴリ単位、地域単位、ＮＥ単位等で容易に参照することが可能となる。
【００３６】
［２］ＯＳＳ配分指定
（１）ＡＣＴ／グループ方式
ａ．ＡＣＴ均等分配方式
各ＷＥ３０のＡＣＴ毎にＮＥを均等に分配する方式。
ｎＡＣＴ／ｍＳＢＹ構成方式により冗長化を実現する場合に、ｎ台のＡＣＴに別々のＮＥを収容するために、本分配方式を適用する。
ｂ．グループ均等分配方式
各ＷＥ３０のグループ毎にＮＥを均等に分配する方式。同一グループに属するすべてのＡＣＴが同じ分配情報を保持することとなる。
ｎ−ＡＣＴ構成方式により冗長化を実現する場合に、グループ内のどのＡＣＴも同一機能とするために、本分配方式を適用する。
以上の各分配指定の方式を組み合わせて、図６に示す８通りの分配方式が実現可能となる。
【００３７】
図７には、予め設定された分配指定が「カテゴリ共通−Ａｒｅａ優先−ＡＣＴ（均等）分配方式」である場合の分配例を示す。この分配例では、ＡＣＴ数が３（業務エレメント名が「ＷＥ１」、「ＷＥ２」、「ＷＥ３」）であり、運用データ管理ＷＥ３０ａが図７（ａ）に示すＮＥ構成情報４００を管理している。この場合に、システム構成管理ＷＥ３０ｂは、「Ａｒｅａ優先」という分配指定に基づき、図７（ｂ）に示すＷＥ−地域対応表を作成する。そして、システム構成管理ＷＥ３０ｂは、ＮＥ構成情報４００とＷＥ−地域対応表とに基づいて、図７（ｃ）に示すＮＥ−ＯＳＳ分配情報６００を生成する。
【００３８】
［分配情報の更新］
次に、システム構成管理ＷＥ３０ｂがＮＥ−ＯＳＳ分配情報６００を更新する際の分配指定の方式について説明する。ＮＥ−ＯＳＳ分配情報６００の更新契機には、ＮＥの増設・減設、及び、ＷＥ３０の増設・滅設時の２通りがある。
図８を参照しながら、以下にそれぞれの契機における分配指定の方式を示す。
［１］ＮＥの増設・減設の場合
（１）ＮＥの増設の場合
ａ．ＮＥ均等方式の場合
分配されているＮＥ数の少ないＷＥ３０（ＡＣＴ又はグループ）から優先的に、増設されたＮＥを分配する。
【００３９】
ｂ．Ａｒｅａ優先方式の場合
増設されたＮＥが属するＡｒｅａにおいて、当該Ａｒｅａに属するＮＥが分配されているＷＥ３０（ＡＣＴ又はグループ）のうち、分配数の少ないＷＥ３０に優先的に分配する。
なお、ＮＥ増設時には、上記分配方式の他に、図６に示す分配方式を用いることも可能である。
（２）ＮＥの減設の場合
減設対象のＮＥを生成済みのＮＥ−ＯＳＳ分配情報６００から削除する。
【００４０】
［２］ＷＥの増設・滅設の場合
ＷＥ３０の増設・滅設によって運用データ変更通知が運用データ管理ＷＥ３０ａから通知された場合、システム構成管理ＷＥ３０ｂは、全ＷＥ３０に対してＮＥの再分配を行うためにＮＥ−ＯＳＳ分配情報６００を生成する。この際には、図６に示す分配方式を用いることが可能である。
【００４１】
システム構成管理ＷＥ３０ｂは、以上の方式により生成したＮＥ−ＯＳＳ分配情報６００を分配先のＷＥ３０（ＡＣＴまたはグループ）に送信する。各ＷＥ３０は、先述した各冗長構成に応じて、現在保持しているＮＥ−ＯＳＳ分配情報６００を更新する。すなわち、ｎ−ＡＣＴ／ｍ−ＳＢＹ構成方式により構成されているＷＥ３０では、ＮＥに括り付けられたデータ（ＮＥについての警報データや履歴データ）を保持しているため、ＳＢＹ系のＷＥ３０が保持するＮＥ−ＯＳＳ分配情報６００を更新した後にＡＣＴ系のＷＥ３０が保持するＮＥ−ＯＳＳ分配情報６００を更新するというように、ＡＣＴ／ＳＢＹ系を片系ずつ更新する。一方、ｎ−ＡＣＴ構成方式により構成されているＷＥ３０では、ＮＥ括り付けデータを保持せず、業務要求に応じて再取得が可能であるため、順次ＡＣＴが保持するＮＥ−ＯＳＳ分配情報６００を更新する。これにより、ＯＳＳ業務のサービス中断を伴わずにＮＥ−ＯＳＳ分配情報６００の更新が可能となる。
【００４２】
次に、図９に示すフローチャートを参照して、運用データ変更時に分配情報生成システム１００がＮＥ−ＯＳＳ分配情報６００を自動生成する際の動作について説明する。
まず、運用データ管理ＷＥ３０ａは、ＮＥ構成情報４００及びＯＳＳ構成情報５００といった、外部要件によって変更された運用データを取得する（ステップＳ１１）。
これにより、運用データ管理ＷＥ３０ａは、運用データ変更通知をシステム構成管理ＷＥ３０ｂに送信する（ステップＳ１２）。システム構成管理ＷＥ３０ｂは、運用データ管理ＷＥ３０ａからの運用データ変更通知を契機に、運用データ取得要求を運用データ管理ＷＥ３０ａに行い（ステップＳ１３〜Ｓ１５）、変更のあった運用データをｆｔｐ（File Transfer Protocol）により取得する（ステップＳ１６）。
【００４３】
システム構成管理ＷＥ３０ｂは、取得した運用データのうち最新のファイルバージョンの運用データのみを保持する。また、差分チェックのため運用データのファイルバージョン情報を管理する。ファイルバージョン情報はステップＳ１５における運用データ取得応答により運用データ管理ＷＥ３０ａから取得される。
システム構成管理ＷＥ３０ｂは、運用データ管理ＷＥ３０ａから取得した運用データと予め設定された分配指定とに基づいて、通知先（分配先）のＷＥ３０と分配対象のＮＥとの関係を示すＮＥ−ＯＳＳ分配情報６００を生成する（ステップＳ１７）。
【００４４】
システム構成管理ＷＥ３０ｂは運用データ変更完了通知を運用データ管理ＷＥ３０ａに送信し（ステップＳ１８）、運用データ管理ＷＥ３０ａは運用データ変更完了応答をシステム構成管理ＷＥ３０ｂに返信する（ステップＳ１９）。
システム構成管理ＷＥ３０ｂは、運用データ変更完了応答を受信すると、ＮＥ−ＯＳＳ分配情報６００の配信予告通知を他機能ＷＥ３０ｃに送信し（ステップＳ２０）、これにより配信予告応答を他機能ＷＥ３０ｃから受信する（ステップＳ２１）。次いで、システム構成管理ＷＥ３０ｂは、分配通知を他機能ＷＥ３０ｃに送信する（ステップＳ２２）。
【００４５】
他機能ＷＥ３０ｃは、分配通知を契機に、管理すべきＮＥ−ＯＳＳ分配情報６００と運用データのデータファイルバージョン情報とをシステム構成管理ＷＥ３０ｂから取得する（ステップＳ２３）。
システム構成管理ＷＥ３０ｂは配信完了通知を他機能ＷＥ３０ｃに送信し（ステップＳ２４）、他機能ＷＥ３０ｃは配信完了応答をシステム構成管理ＷＥ３０ｂに送信して処理を終了する。
【００４６】
以上説明したように、従来においては、複数サーバ群から構成され、かつ自律分散制御を行うＯＳＳ１０のようなシステム環境において、ハードウェア増設を行う際のプロセスは非常に煩雑であったが、上述した実施形態においては、ＯＳＳ１０においてＮＥを監視制御するために必要なＮＥ−ＯＳＳ分配情報６００を自律的に生成し更新することができるため、サービス中断を伴うことなく迅速にシステムの構成変更に対応することができ、システム構成変更の度に人手によってＮＥ−ＯＳＳ分配情報６００等を見直す作業が不要となる。また、ＮＥ−ＯＳＳ分配情報６００の更新に伴う正常動作検証が不要となる。
【００４７】
なお、上述した実施形態においては、ＯＳＳ１０はＤ３Ａに基づいて構築されているとして説明したが、これに限定されることはなく、ＮＥを監視制御するためのシステムであればよい。同様に、冗長構成方式についても、あらゆる冗長構成を採ることができる。
また、上述した実施形態においては、分配情報生成システム１００が備える運用データ管理ＷＥ３０ａとシステム構成管理ＷＥ３０ｂとは、ＯＳＳ１０に含まれているとして説明したが、これに限定されることはなく、例えば、ＯＳＳ１０とは別に、分配情報生成システム１００がＯＳＳ１０の外部に存在してもよい。また、運用データ管理ＷＥ３０ａの機能とシステム構成管理ＷＥ３０ｂの機能とを１つのサーバが備えていてもよい。
【００４８】
また、上述した実施形態においては、ＮＥは移動体通信ネットワークを構成する装置であるとして説明したが、移動通信ネットワーク以外にインターネットや無線ＬＡＮ等を構成する装置であってもよい。
また、上述した分配情報生成方法は、ＮＥやＷＥ３０の増減設時に限らず、初期分配時にも利用することができる。初期分配時に利用した場合には、オペレータが分配方法を検討する手間や、手動でＮＥ−ＯＳＳ構成情報６００等を作成する手間を削減することができる。
【００４９】
また、上述した実施形態においては、予め設定された分配指定には、ＮＥ数が多いＡｒｅａほど優先度が高いことを指定する情報が含まれているとして説明したが、優先度の指定方法はこれに限定されることはなく、例えば、設置されているＮＥ数が少ない地域ほど優先度が高いことを指定するようにすることも可能である。
【図面の簡単な説明】
【００５０】
【図１】本発明の本実施の形態に係るＯＳＳの構成を示す図である。
【図２】同実施の形態に係るＤ３Ａによる具体的な処理手順を説明するための図である。
【図３】同実施の形態に係る分配情報生成システムの構成を示す図である。
【図４】同実施の形態に係るＮＥ−ＯＳＳ分配情報のデータ構成の一例を示す図である。
【図５】同実施の形態に係るＡｒｅａ優先分配方式によって、各Ａｒｅａに存在するＮＥをＷＥに対して分配する場合の分配例を示す図である。
【図６】同実施の形態に係る分配指定に応じた分配方式を示す図である。
【図７】同実施の形態に係る分配指定が「カテゴリ共通−Ａｒｅａ優先−ＡＣＴ分配方式」である場合の分配例を示す図である。
【図８】同実施形態に係るＮＥ−ＯＳＳ分配情報を更新する際の分配指定の方式を示す図である。
【図９】同実施形態に係る分配情報生成システムにおいて、運用データ変更時にＮＥ−ＯＳＳ分配情報を自動生成する際の動作を示すフローチャートである。
【符号の説明】
【００５１】
１０    ＯＳＳ（オペレーションサポートシステム）
２０    ＮＡ（ネットワークアダプタ）
３０    ＷＥ（業務エレメント）
４１    ＷＣＤ（業務構成データ）
１００  分配情報生成システム
４００  ＮＥ構成情報
５００  ＯＳＳ構成情報
６００  ＮＥ−ＯＳＳ分配情報
３０ａ  運用データ管理ＷＥ
３０ｂ  システム構成管理ＷＥ
３０ｃ  他機能ＷＥ
【図１】
2007041873.tif 000003
【図２】
2007041873.tif 000004
【図３】
2007041873.tif 000005
【図４】
2007041873.tif 000006
【図５】
2007041873.tif 000007
【図６】
2007041873.tif 000008
【図７】
2007041873.tif 000009
【図８】
2007041873.tif 000010
【図９】
2007041873.tif 000011